(57)【要約】  【課題】本発明は、煩雑な操作を要することなく、その送受信周波数を最適化することが可能な無線通信システムを提供することを目的とする。  【解決手段】本発明に係る無線通信システムにおいて、受信装置Ｂは、復調部Ｂ３で復調されたディジタルオーディオ信号の受信状況を示す受信状況データ信号をＦＭ電波として空間に放出する手段（Ｂ７〜Ｂ１２）を有して成り、送信装置Ａは、受信装置Ｂに対するディジタル無線送信中にＦＭ放送受信部Ａ２で得られる受信状況データ信号に基づいて装置の送信周波数を変更する手段（Ａ９、Ａ１０）を有して成る構成としている。【選択図】      図１
2006165727.tif 000002
【特許請求の範囲】
【請求項１】
第１周波数帯域の無線電波を検出する放送受信アンテナと、検出された無線電波から装置の受信周波数に応じた信号成分を抽出する放送受信部と、サラウンド信号の入力を受けて複数系統のアナログオーディオ信号に分離するオーディオ信号処理部と、分離されたアナログオーディオ信号の少なくとも一をディジタルオーディオ信号に変換するアナログ／ディジタル変換部と、前記ディジタルオーディオ信号に基づいて変調信号を生成する変調信号生成部と、前記変調信号に基づいて搬送波の変調処理を行うディジタル送信部と、該変調処理で得られた被変調信号を第２周波数帯域の無線電波として空間に放出するディジタル送信アンテナと、装置の送信周波数を可変制御する周波数制御部と、を有して成る送信装置と；第２周波数帯域の無線電波を検出するディジタル受信アンテナと、検出された無線電波から装置の受信周波数に応じた信号成分を抽出するディジタル受信部と、抽出された信号成分から前記ディジタルオーディオ信号を復調する復調部と、復調されたディジタルオーディオ信号を前記アナログオーディオ信号に変換するディジタル／アナログ変換部と、装置の受信周波数を可変制御する周波数制御部と、を有して成る受信装置と；から構築される無線通信システムにおいて、
前記受信装置は、復調されたディジタルオーディオ信号の受信状況を示す受信状況データ信号を第１周波数帯域の無線電波として空間に放出する手段を有して成り、前記送信装置は、前記受信装置に対するディジタル無線送信中に前記放送受信部で得られる受信状況データ信号に基づいて装置の送信周波数を変更する手段を有して成ることを特徴とする無線通信システム。
【請求項２】
前記送信装置は、装置の送信周波数を変更するに先立って現在送信中の被変調信号に変更後の送信周波数を示した第１データ信号を重畳させる手段を有して成り、前記受信装置は、前記復調部での復調結果に第１データ信号が含まれていれば装置の受信周波数を第１データ信号が示す変更後の送信周波数に合致させる手段を有して成ることを特徴とする請求項１に記載の無線通信システム。
【請求項３】
前記送信装置は、前記放送受信部で正常な受信状況データ信号が得られない場合に装置の受信周波数を変更する手段を有して成ることを特徴とする請求項１または請求項２に記載の無線通信システム。
【請求項４】
前記送信装置は、装置の受信周波数を変更するに先立って現在送信中の被変調信号に変更後の受信周波数を示した第２データ信号を重畳させる手段を有して成り、前記受信装置は、前記復調部での復調結果に第２データ信号が含まれていれば装置の送信周波数を第２データ信号が示す変更後の受信周波数に合致させる手段を有して成ることを特徴とする請求項３に記載の無線通信システム。
【請求項５】
前記受信装置は、前記ディジタル受信アンテナを複数有するとともに、それらを順次択一する手段と、前記復調部での復調結果に第３データ信号が含まれていれば該第３データ信号が示すディジタル受信アンテナを選択する手段と、を有して成り、前記送信装置は、前記ディジタル受信アンテナが順次択一される毎に前記放送受信部で得られる受信状況データ信号に基づいて現在送信中の被変調信号に選択すべきディジタル受信アンテナを示す第３データ信号を重畳させる手段を有して成ることを特徴とする請求項１〜請求項４のいずれかに記載の無線通信システム。
【請求項６】
第１周波数帯域の無線電波を検出する放送受信アンテナと、検出された無線電波から装置の受信周波数に応じた信号成分を抽出する放送受信部と、サラウンド信号の入力を受けて複数系統のアナログオーディオ信号に分離するオーディオ信号処理部と、分離されたアナログオーディオ信号の少なくとも一をディジタルオーディオ信号に変換するアナログ／ディジタル変換部と、前記ディジタルオーディオ信号に基づいて変調信号を生成する変調信号生成部と、前記変調信号に基づいて搬送波の変調処理を行うディジタル送信部と、該変調処理で得られた被変調信号を第２周波数帯域の無線電波として空間に放出するディジタル送信アンテナと、装置の送信周波数を可変制御する周波数制御部と、を有して成る送信装置と；第２周波数帯域の無線電波を検出する複数のディジタル受信アンテナと、前記複数のディジタル受信アンテナのいずれか一を選択するアンテナ切換部と、選択されたディジタル受信アンテナで検出された無線電波から装置の受信周波数に応じた信号成分を抽出するディジタル受信部と、抽出された信号成分から前記ディジタルオーディオ信号を復調する復調部と、復調されたディジタルオーディオ信号を前記アナログオーディオ信号に変換するディジタル／アナログ変換部と、装置の受信周波数を可変制御する周波数制御部と、を有して成る受信装置と；から構築される無線通信システムにおいて、
前記送信装置は、装置の送信周波数を順次変更する手段と、当該順次変更処理の完了後に前記放送受信部で得られる最適周波数データ信号に基づいて装置の送信周波数を変更する手段と、を有して成り、前記受信装置は、前記複数のディジタル受信アンテナを装置の受信周波数毎に順次択一する手段と、前記ディジタル受信アンテナが順次択一される毎に前記ディジタルオーディオ信号の受信状況を情報として逐次格納する手段と、格納された情報を比較して最も受信状況が良好であった装置の受信周波数と前記ディジタル受信アンテナとの組合わせを判断する手段と、最良の組合わせであると判断された装置の受信周波数及びディジタル受信アンテナを選択する手段と、最良の組合わせであると判断された装置の受信周波数を示した最適周波数データ信号を第１周波数帯域の無線電波として空間に放出する手段と、を有して成ることを特徴とする無線通信システム。
【発明の詳細な説明】
【技術分野】
【０００１】
本発明は、送信装置から受信装置に対して信号を無線伝送する無線通信システム（例えば、オーディオ再生装置からワイヤレスヘッドフォンやワイヤレススピーカに対してオーディオ信号を無線伝送するワイヤレスオーディオシステム）に関するものである。
【背景技術】
【０００２】
近年、ワイヤレスＬＡＮ［Local Area Network］や、ブルートゥース機器、電子レンジなどの普及に伴い、室内には、非常に多くの無線電波が同一の周波数帯域で飛び交っている。そのため、このような室内環境下で無線通信システムを使用すると、他の電子機器から輻射される無線電波との相互干渉や、天井、屋根、周囲の金属部等による無線電波の反射・吸収などに起因して、正常な無線通信を行えない場合がある。
【０００３】
そこで、従来の無線通信システムは、一般に、システム毎に割り当てられた特定の周波数帯域を複数のチャネルに分割し、その送受信周波数を適宜変更することが可能な構成とされていた。
【０００４】
また、従来の無線通信システムでは、受信装置側に複数の受信アンテナを設けておき、外部信号の影響等で受信エラーが発生したら、別の受信アンテナに切り換えて受信を継続するダイバシティアンテナ方式（アンテナ切換方式）が採用されている場合も多かった。
【０００５】
なお、その他の無線通信システムに関して、過去の公報による実例を調査した結果は、以下の通りである。
【０００６】
特許文献１には、移動通信における接続制御方式が開示・提案されている。当該無線通信システムにおいて、通信要求を生じた無線装置は、その通信開始に先立って、ある無線チャネルを使用する旨を送出する構成とされている。一方、当該無線チャネルを使用して既に通信中である他の無線装置は、自局の通信相手からの受信レベルと前記通信要求を生じた無線装置からの受信レベルを比較し、両者の比が一定値以下であるとき、その旨の通知信号を送出する構成とされている。そして、前記通信要求を生じた無線装置は、他の無線装置から前記通知信号を受信しない場合にのみ、当該無線チャネルで通信を開始し、受信した場合には、別の無線チャネルを選択する構成とされている。
【０００７】
特許文献２には、無線選択呼出受信機及びその無線周波数チャネルサーチ方法が開示・提案されている。当該無線通信システムにおいて、受信装置は、受信チャネルの受信電界強度を検出する電界検出手段と、無線周波数チャネルのサーチを制御して目的の受信チャネルの決定を行う受信チャネル制御手段を有して成り、前記受信チャネル制御手段は、受信電界強度が一定のレベルを超えないときは、直ちに次の受信チャネルに切り換える構成とされている。
【０００８】
特許文献３には、スペクトラム拡散信号を２つの受信アンテナで受信し、マルチパス信号を同一の逆拡散タイミングで逆拡散して合成するアンテナダイバーシティ受信装置が開示・提案されている。当該アンテナダイバーシティ受信装置は、各パスのチャネル推定値を求め、該チャネル推定値を基に両アンテナ間の干渉信号の相関をなくす変換係数を算出する手段と、前記逆拡散後の信号に前記変換係数を乗じて干渉信号の相関がない信号に変換する手段と、前記干渉信号の相関のない信号に変換後の信号を合成する手段と、を備えた構成とされている。
【特許文献１】特開平２−１９２３３０号公報
【特許文献２】特開平６−２４４７７７号公報
【特許文献３】特開２００２−１９８８７９号公報
【発明の開示】
【発明が解決しようとする課題】
【０００９】
確かに、送受信周波数や受信アンテナを適宜変更することが可能な従来の無線通信システムであれば、ある送受信周波数や受信アンテナを用いた無線通信が不良であっても、その送受信周波数や受信アンテナを変更することで、妨害周波数を回避し、より良好な受信状態を得ることが可能である。
【００１０】
しかしながら、上記従来の無線通信システムでは、その送受信周波数の設定に際して、送信装置の送信周波数と受信装置の受信周波数を双方とも、ユーザが順次手動で合一的に切り換えねばならず、その設定操作が非常に煩雑である、という課題があった。
【００１１】
また、無線通信システムの受信状態は、送信装置や受信装置に人が近付いただけで変動するおそれがある上、受信装置側でダイバシティアンテナ方式を採用していた場合には、当該アンテナの切換状況に応じても受信状態が変動してしまうため、さらにその設定操作に時間を要する結果となっていた。
【００１２】
また、上記従来の無線通信システムでは、その送受信周波数の設定に際して、順次切り換えられる送受信周波数での各受信状態（例えば受信映像や受信音声の品質）を、ユーザが自身の目や耳で比較判定しなければならず、受信状態の微妙な優劣が付けにくい上、変更後の受信状態がたまたま先の受信状態よりも良好であったというだけで、ユーザが送受信周波数の設定操作を完了してしまう場合も多く、必ずしも最良の受信状態が得られる送受信周波数を設定することができない、という課題があった。
【００１３】
特に、近年のワイヤレスオーディオシステムでは、受信装置に接続されるパワーアンプの高出力化やシステムの高Ｓ／Ｎ化により、ノイズ等の異常音発生が目立ちやすく、上記課題が顕著となっていた。
【００１４】
なお、特許文献１の従来技術は、あくまで、分散制御型の無線通信システム（マルチチャネルコードレス電話など）で問題となる同一チャネル干渉を解消するための技術に過ぎず、上記課題を解決し得るものではなかった。
【００１５】
また、特許文献２の従来技術は、あくまで、所望の無線信号が複数の送信周波数で並列送信されているという前提の下、ある受信周波数での受信状態が不良になると、受信装置が受信周波数のサーチ動作を自動的に開始し、無線信号を正常に受信可能な受信周波数が発見された時点で、そのサーチ動作を完了するという技術に過ぎず、受信周波数のサーチ時間を短縮することはできても、上記課題を解決し得るものではなかった。
【００１６】
また、特許文献３の従来技術は、あくまで、スペクトラム拡散方式を用いた移動無線通信端末装置等におけるマルチパス合成を行うアンテナダイバーシティ受信装置に関する技術であって、アンテナ間の干渉成分の相関を考慮して合成し、信号電力対干渉電力比を最大にするための技術に過ぎず、上記課題を解決し得るものではなかった。
【００１７】
本発明は、上記の問題点に鑑み、煩雑な操作を要することなく、その送受信周波数を最適化することが可能な無線通信システムを提供することを目的とする。
【課題を解決するための手段】
【００１８】
上記の目的を達成するために、本発明に係る無線通信システムは、第１周波数帯域の無線電波を検出する放送受信アンテナと、検出された無線電波から装置の受信周波数に応じた信号成分を抽出する放送受信部と、サラウンド信号の入力を受けて複数系統のアナログオーディオ信号に分離するオーディオ信号処理部と、分離されたアナログオーディオ信号の少なくとも一をディジタルオーディオ信号に変換するアナログ／ディジタル変換部と、前記ディジタルオーディオ信号に基づいて変調信号を生成する変調信号生成部と、前記変調信号に基づいて搬送波の変調処理を行うディジタル送信部と、該変調処理で得られた被変調信号を第２周波数帯域の無線電波として空間に放出するディジタル送信アンテナと、装置の送信周波数を可変制御する周波数制御部と、を有して成る送信装置と；第２周波数帯域の無線電波を検出するディジタル受信アンテナと、検出された無線電波から装置の受信周波数に応じた信号成分を抽出するディジタル受信部と、抽出された信号成分から前記ディジタルオーディオ信号を復調する復調部と、復調されたディジタルオーディオ信号を前記アナログオーディオ信号に変換するディジタル／アナログ変換部と、装置の受信周波数を可変制御する周波数制御部と、を有して成る受信装置と；から構築される無線通信システムにおいて、前記受信装置は、復調されたディジタルオーディオ信号の受信状況を示す受信状況データ信号を第１周波数帯域の無線電波として空間に放出する手段を有して成り、前記送信装置は、前記受信装置に対するディジタル無線送信中に前記放送受信部で得られる受信状況データ信号に基づいて装置の送信周波数を変更する手段を有して成る構成としている。
【００１９】
このような構成とすることにより、煩雑な操作を要することなく、ディジタル無線通信に用いる送受信周波数を最適化することができ、混信の少ない状態で良好なディジタル無線通信を行うこと、すなわち、歪やノイズの少ない高品質な音声再生を行うことが可能となる。また、本発明に係る無線通信システムは、送信装置に受信部を新設することなく、既設の放送受信部を利用して双方向通信を図る構成であるため、大掛かりなシステム改変（ディジタル通信系統の増設）が不要であり、部品点数の増加やコストの上昇を最小限に留めることが可能となる。
【００２０】
なお、上記構成から成る無線通信システムにおいて、前記送信装置は、装置の送信周波数を変更するに先立って現在送信中の被変調信号に変更後の送信周波数を示した第１データ信号を重畳させる手段を有して成り、前記受信装置は、前記復調部での復調結果に第１データ信号が含まれていれば装置の受信周波数を第１データ信号が示す変更後の送信周波数に合致させる手段を有して成る構成にするとよい。このような構成とすることにより、ディジタル無線通信に用いる送受信周波数を自動で最適化することができるので、その最適化処理に要する時間を短縮し、かつ、ユーザの操作負担を軽減することが可能となる。
【００２１】
また、上記構成から成る無線通信システムにおいて、前記送信装置は、前記放送受信部で正常な受信状況データ信号が得られない場合に装置の受信周波数を変更する手段を有して成る構成にするとよい。このような構成とすることにより、煩雑な操作を要することなく、受信状況データ信号の通信に用いる送受信周波数を最適化することができ、混信の少ない状態で良好な受信状況データ信号の通信を行うこと、延いては、当該受信状況データ信号に基づく送受信周波数の最適化処理を適切に実施することが可能となる。
【００２２】
また、上記構成から成る無線通信システムにおいて、前記送信装置は、装置の受信周波数を変更するに先立って現在送信中の被変調信号に変更後の受信周波数を示した第２データ信号を重畳させる手段を有して成り、前記受信装置は、前記復調部での復調結果に第２データ信号が含まれていれば装置の送信周波数を第２データ信号が示す変更後の受信周波数に合致させる手段を有して成る構成にするとよい。このような構成とすることにより、受信状況データ信号の通信に用いる送受信周波数を自動で最適化することができるので、その所要時間を短縮するとともに、ユーザの操作負担を軽減することが可能となる。
【００２３】
また、上記構成から成る無線通信システムにおいて、前記受信装置は、前記ディジタル受信アンテナを複数有するとともに、それらを順次択一する手段と、前記復調部での復調結果に第３データ信号が含まれていれば該第３データ信号が示すディジタル受信アンテナを選択する手段と、を有して成り、前記送信装置は、前記ディジタル受信アンテナが順次択一される毎に前記放送受信部で得られる受信状況データ信号に基づいて現在送信中の被変調信号に選択すべきディジタル受信アンテナを示す第３データ信号を重畳させる手段を有して成る構成にするとよい。このような構成とすることにより、ディジタル無線通信に用いる送受信周波数の最適化と合わせて、ディジタル受信アンテナの最適選択を自動で行うことができるので、より一層高品質な音声再生を行うことが可能となる。
【００２４】
また、本発明に係る無線通信システムは、第１周波数帯域の無線電波を検出する放送受信アンテナと、検出された無線電波から装置の受信周波数に応じた信号成分を抽出する放送受信部と、サラウンド信号の入力を受けて複数系統のアナログオーディオ信号に分離するオーディオ信号処理部と、分離されたアナログオーディオ信号の少なくとも一をディジタルオーディオ信号に変換するアナログ／ディジタル変換部と、前記ディジタルオーディオ信号に基づいて変調信号を生成する変調信号生成部と、前記変調信号に基づいて搬送波の変調処理を行うディジタル送信部と、該変調処理で得られた被変調信号を第２周波数帯域の無線電波として空間に放出するディジタル送信アンテナと、装置の送信周波数を可変制御する周波数制御部と、を有して成る送信装置と；第２周波数帯域の無線電波を検出する複数のディジタル受信アンテナと、前記複数のディジタル受信アンテナのいずれか一を選択するアンテナ切換部と、選択されたディジタル受信アンテナで検出された無線電波から装置の受信周波数に応じた信号成分を抽出するディジタル受信部と、抽出された信号成分から前記ディジタルオーディオ信号を復調する復調部と、復調されたディジタルオーディオ信号を前記アナログオーディオ信号に変換するディジタル／アナログ変換部と、装置の受信周波数を可変制御する周波数制御部と、を有して成る受信装置と；から構築される無線通信システムにおいて、前記送信装置は、装置の送信周波数を順次変更する手段と、当該順次変更処理の完了後に前記放送受信部で得られる最適周波数データ信号に基づいて装置の送信周波数を変更する手段と、を有して成り、前記受信装置は、前記複数のディジタル受信アンテナを装置の受信周波数毎に順次択一する手段と、前記ディジタル受信アンテナが順次択一される毎に前記ディジタルオーディオ信号の受信状況を情報として逐次格納する手段と、格納された情報を比較して最も受信状況が良好であった装置の受信周波数と前記ディジタル受信アンテナとの組合わせを判断する手段と、最良の組合わせであると判断された装置の受信周波数及びディジタル受信アンテナを選択する手段と、最良の組合わせであると判断された装置の受信周波数を示した最適周波数データ信号を第１周波数帯域の無線電波として空間に放出する手段と、を有して成る構成にしてもよい。
【００２５】
このような構成とすることにより、煩雑な操作を要することなく、最良の受信状態が得られる送受信周波数及びダイバシティアンテナの組合わせを容易に設定することができ、歪やノイズの少ない高品質な音声再生を行うことが可能となる。また、ユーザが送受信周波数の順次変更操作を中途半端に完了してしまうおそれがない上、ユーザの主観に依存することなく受信状態の微妙な優劣が正確に判断されるので、最良の送受信周波数を適切に探索することが可能となる。
【発明の効果】
【００２６】
上記したように、本発明に係る無線通信システムであれば、煩雑な操作を要することなく、その送受信周波数を最適化することが可能となる。
【発明を実施するための最良の形態】
【００２７】
以下では、オーディオ再生装置からワイヤレススピーカに対してオーディオ信号を無線伝送するワイヤレスオーディオシステムに本発明を適用した場合を例に挙げて、本発明の実施の形態を詳細に説明する。
【００２８】
まず、本発明に係るワイヤレスオーディオシステムの第１実施形態について、図１を参照しながら詳細な説明を行う。図１は、本発明に係るワイヤレスオーディオシステムの第１実施形態を示すブロック図である。
【００２９】
本図に示すように、本実施形態のワイヤレスオーディオシステムは、オーディオ信号の送信装置として機能するオーディオ再生装置Ａと、オーディオ信号の受信装置として機能するワイヤレススピーカＢと、から構築されている。このようなワイヤレスオーディオシステムであれば、装置間の配線を考慮する必要がなくなるので、その配置レイアウトの自由度を高めることが可能となる。
【００３０】
オーディオ再生装置Ａは、ＦＭ［Frequency Modulation］放送受信アンテナＡ１と、ＦＭ放送受信部Ａ２と、オーディオ信号処理部Ａ３と、フロントスピーカ部Ａ４と、アナログ／ディジタル変換部Ａ５（以下、Ａ／Ｄ［Analog/Digital］変換部Ａ５と呼ぶ）と、変調信号生成部Ａ６と、ディジタル送信部Ａ７と、ディジタル送信アンテナＡ８と、周波数制御部Ａ９と、中央演算処理部Ａ１０と、埋込信号生成部Ａ１１と、操作部Ａ１２と、表示部Ａ１３と、を有して成る。なお、本図には明示されていないが、ディジタルオーディオ信号を圧縮して無線送信を行う構成とすれば、送信効率を向上することが可能となる。ただし、当該構成を採用する場合には、ワイヤレススピーカＢ側で復調される被圧縮信号について所定の伸張処理を行う必要が生じる。
【００３１】
ＦＭ放送受信アンテナＡ１は、ＶＨＦ［Very High Frequency］帯（３０〜３００［ＭＨｚ］）のＦＭ放送電波を検出する手段である。
【００３２】
ＦＭ放送受信部Ａ２は、ＦＭ放送受信アンテナＡ１で検出されたＦＭ放送電波から装置の受信周波数に応じた信号成分を抽出して、所望のアナログオーディオ信号を生成するチューナ手段である。
【００３３】
オーディオ信号処理部Ａ３は、サラウンド信号（５．１ＣＨサラウンド信号など）の入力を受けて複数系統のアナログオーディオ信号に分離し、システム各所のサラウンドスピーカ手段（フロント［Ｌ・Ｃ・Ｒ］、リア［Ｌ・Ｒ］、サブウーハなど）に分配する手段である。また、オーディオ信号処理部Ａ３は、ＦＭ放送受信部Ａ２から入力されるアナログオーディオ信号についても、その分配送出制御を行う。
【００３４】
フロントスピーカ部Ａ４は、オーディオ信号処理部Ａ３から入力されたアナログオーディオ信号を音声出力する手段である。なお、本図には明示されていないが、フロントスピーカ部Ａ４の入力段には、所定の利得でアナログオーディオ信号を電力増幅する増幅部が設けられている。
【００３５】
Ａ／Ｄ変換部Ａ５は、オーディオ信号処理部Ａ３で分離されたアナログオーディオ信号の少なくとも一（本実施形態では、ワイヤレススピーカＢに無線伝送すべきリア系統のアナログオーディオ信号）をＰＣＭ［Pulse Code Modulation］変換することでディジタルオーディオ信号に変換する手段である。
【００３６】
変調信号生成部Ａ６は、前記ディジタルオーディオ信号と後述する埋込信号に基づいて変調信号（図５に示されるシリアルのブロックデータ群）を生成する手段である。
【００３７】
ディジタル送信部Ａ７は、前記変調信号に基づいて搬送波（キャリア）の変調処理を行う発振手段である。
【００３８】
ディジタル送信アンテナＡ８は、ディジタル送信部Ａ７で得られた被変調信号をＩＳＭ［Industry Science Medical］帯（２．４［ＧＨｚ］）の無線電波として空間に放出する手段であり、その指向性の有無は問わない。
【００３９】
周波数制御部Ａ９は、オーディオ再生装置Ａの送信周波数（ディジタル送信部Ａ７における搬送波の発振周波数）を可変制御する手段である。
【００４０】
中央演算処理部Ａ１０は、送信周波数変更信号の生成制御、操作部Ａ１２の入力監視制御、及び、表示部Ａ１３の表示制御などを統括的に行う機能を具備するほか、後ほど詳述するように、ワイヤレススピーカＢに対するディジタル無線送信中にＦＭ放送受信部Ａ２で得られる受信状況データ信号の監視機能や、埋込信号生成部Ａ１１における埋込信号の生成制御機能も備えている。なお、上記の送信周波数変更信号とは、システム毎に割り当てられた特定の周波数帯域を複数のチャネルに分割し、その送受信周波数を適宜変更すべく、周波数制御部Ａ９に送信周波数の変更を命じる制御信号のことである。
【００４１】
埋込信号生成部Ａ１１は、中央演算処理部Ａ１０からの指示に基づいて埋込信号の生成制御を行う手段である。上記の埋込信号とは、ワイヤレススピーカＢに各種命令を伝達すべく、現在送信中の被変調信号に重畳されるデータ信号のことであり、前記ディジタルオーディオ信号とともに変調信号生成部Ａ６へと入力される。なお、本実施形態のオーディオ再生装置Ａでは、後ほど詳述するように、装置の送信周波数を変更するに先立って、当該変更後の送信周波数を示した第１データ信号が埋込信号として生成される。
【００４２】
操作部Ａ１２は、各種操作を受け付けるユーザインタフェイスであり、一般的な操作に際して押下等されるキーやボタンのほか、システムの送受信周波数を変更する際に押下等される送受信周波数変更ボタンを具備して成る。
【００４３】
表示部Ａ１３は、装置の動作状態（例えば、現在設定されている送信周波数）を視覚的に報知する手段であり、液晶ディスプレイやＬＥＤ［Light Emitting Diode］等を用いることができる。
【００４４】
一方、ワイヤレススピーカＢは、ディジタル受信アンテナＢ１と、ディジタル受信部Ｂ２と、復調部Ｂ３と、ディジタル／アナログ変換部Ｂ４（以下Ｄ／Ａ［Digital/Analog］変換部Ｂ４と呼ぶ）と、リアスピーカ部Ｂ５と、周波数制御部Ｂ６と、エラー検出部Ｂ７と、エラーカウンタ部Ｂ８と、中央演算処理部Ｂ９と、受信状況データ信号生成部Ｂ１０と、ＦＭ送信部Ｂ１１と、ＦＭ送信アンテナＢ１２と、表示部Ｂ１３と、を有して成る。
【００４５】
ディジタル受信アンテナＢ１は、オーディオ再生装置Ａのディジタル送信アンテナＡ８から放出された無線電波を検出する手段であり、その指向性の有無は問わない。
【００４６】
ディジタル受信部Ｂ２は、ディジタル受信アンテナ部Ｂ１で検出された無線電波からワイヤレススピーカＢの受信周波数に応じた信号成分を抽出する手段である。
【００４７】
復調部Ｂ３は、ディジタル受信部Ｂ２で抽出された信号成分からディジタルオーディオ信号と埋込信号を復調する。
【００４８】
Ｄ／Ａ変換部Ｂ４は、復調部Ｂ３で復調されたディジタルオーディオ信号をアナログオーディオ信号に変換する手段である。
【００４９】
リアスピーカ部Ｂ５は、Ｄ／Ａ変換部Ｂ４から入力されたアナログオーディオ信号を音声出力する手段である。なお、本図には明示されていないが、リアスピーカ部Ｂ５の入力段には、所定の利得でアナログオーディオ信号を電力増幅する増幅部が設けられている。
【００５０】
周波数制御部Ｂ６は、後述の受信周波数変更信号に応じて決定されるワイヤレススピーカＢの受信周波数に基づいてディジタル受信部Ｂ２の同調制御を行う手段である。
【００５１】
エラー検出部Ｂ７は、復調部Ｂ３で得られたディジタルオーディオ信号が正規の信号であるか否か（すなわちデータ異常が生じていないか否か）を検出する手段であり、データ異常の発生を検出した場合には、その旨を示すエラー信号を生成して、エラーカウンタ部Ｂ８に送出する。
【００５２】
なお、図１には明示されていないが、上記エラー信号は、Ｄ／Ａ変換部Ｂ４にも送出されており、Ｄ／Ａ変換部Ｂ４は、当該エラー信号の入力有無に基づいて、復調部Ｂ３で得られたディジタルオーディオ信号にエラーが生じているか否かを判断する。そして、Ｄ／Ａ変換部Ｂ４は、ディジタルオーディオ信号にエラーが生じていると判断した場合には、リアスピーカ部Ｂ５での異常音発生を抑えるべく、その出力であるアナログオーディオ信号にミュート処理（消音処理）を施す。また、エラー検出部Ｂ７は、ワイヤレススピーカＢで空電ノイズしか受信されない状態（つまり無信号状態）にもエラー信号を送出するため、Ｄ／Ａ変換部Ｂ４では、オーディオ再生装置Ａからの信号送信が停止された場合や、送信周波数と受信周波数が不一致とされた場合にも、上記のミュート処理が行われる。
【００５３】
エラーカウンタ部Ｂ８は、エラー検出部Ｂ７から入力されるエラー信号を監視することにより、復調部Ｂ３で得られたディジタルオーディオ信号における所定時間当たりのエラー発生回数（エラー量）を数える手段である。
【００５４】
中央演算処理部Ｂ９は、ワイヤレススピーカＢ全体を制御する統括制御手段としての機能を具備するほか、埋込信号（第１データ信号）の検出機能や、当該埋込信号に基づく受信周波数変更信号の生成制御機能を備えている。なお、上記の受信周波数変更信号とは、ワイヤレススピーカＢの受信周波数をオーディオ再生装置Ａの送信周波数と合致させるべく、周波数制御部Ｂ６に受信周波数の変更を命じる制御信号のことである。また、中央演算処理部Ｂ９は、上記諸機能のほか、受信状況データ信号生成部Ｂ１０における受信状況データ信号の生成制御機能も具備して成る。
【００５５】
受信状況データ信号生成部Ｂ１０は、エラーカウンタ部Ｂ８で得られたエラー量に基づいて、前記受信状況データ信号を生成する手段である。なお、受信状況データ信号とは、復調されたディジタルオーディオ信号の受信状況（エラー量）を示す信号のことである。
【００５６】
ＦＭ送信部Ｂ１１は、前記受信状況データ信号に基づいて搬送波（キャリア）のＦＭ変調処理を行う発振手段である。
【００５７】
ＦＭ送信アンテナＢ１２は、ＦＭ送信部Ｂ１１で得られた被変調波をＶＨＦ帯のＦＭ電波として空間に放出する手段である。
【００５８】
表示部Ｂ１３は、装置の動作状態（例えば、現在設定されている送信周波数）を視覚的に報知する手段であり、液晶ディスプレイやＬＥＤ等を用いることができる。
【００５９】
上記構成から成るワイヤレスオーディオシステムのディジタル送受信周波数変更動作について、詳細に説明する。
【００６０】
オーディオ再生装置Ａにて、操作部Ａ１２の送信周波数変更ボタンが押下された場合、中央演算処理部Ａ１０は、送信周波数の変更指示、すなわち、周波数制御部Ａ９に対する送信周波数変更信号の送出に先立ち、変更後の送信周波数を示した埋込信号（第１データ信号）を生成するよう、埋込信号生成部Ａ１１に指示を送る。当該指示を受けた埋込信号生成部Ａ１１は、変更後の送信周波数を示す埋込信号を生成し、当該埋込信号を変調信号生成部Ａ６に送出する。すなわち、本実施形態のオーディオ再生装置Ａでは、送信周波数の変更に先立ち、その変更内容を示した埋込信号がワイヤレススピーカＢに無線送信される。なお、中央演算処理部Ａ１０は、前記埋込信号の生成を指示してから所定の待機時間（ワイヤレススピーカＢの受信周波数が変更されるのに要する時間）が経過した時点で、送信周波数の変更を指示すべく、周波数制御部Ａ９に送信周波数変更信号を送出する。
【００６１】
一方、ワイヤレススピーカＢにおいて、中央演算処理部Ｂ９は、復調部Ｂ３で得られる復調結果に埋込信号（第１データ信号）が含まれているか否かを常時監視しており、復調結果に埋込信号が含まれていれば、ワイヤレススピーカＢの受信周波数を当該埋込信号が示すオーディオ再生装置Ａの変更後の送信周波数に合致させるべく、受信周波数変更信号を生成して周波数制御部Ｂ６に送出する。
【００６２】
すなわち、本実施形態のワイヤレススピーカＢでは、オーディオ再生装置Ａ側で送信周波数の変更操作が為された場合、自動的にその受信周波数がオーディオ再生装置Ａの変更後の送信周波数に合致される。従って、両装置Ａ、Ｂ間における無線通信は、オーディオ再生装置Ａの送信周波数が変更された後も、何ら断絶されることなく正常に継続される。
【００６３】
なお、操作部Ａ１２の送受信周波数変更ボタンが再度押下された場合、オーディオ再生装置Ａの送信周波数は、さらに別の送信周波数、或いは、元の送信周波数に変更されることになるが、その際にも、オーディオ再生装置Ａ及びワイヤレススピーカＢでは、上記と同様の信号処理が行われる。
【００６４】
上記動作によってシステムの送受信周波数が変更された後、ワイアレススピーカＢの中央演算処理部Ｂ９は、エラーカウンタ部Ｂ８の出力に基づいて、当該変更後の周波数条件で復調されたディジタルオーディオ信号の受信状況（エラー量）を検出し、受信状況データ信号生成部Ｂ１０に対して、その検出結果を示す受信状況データ信号を生成するよう、指示を送る。その結果、ＦＭ送信アンテナＢ１２からは、前記受信状況データ信号がＦＭ電波として空間に放出され、オーディオ再生装置ＡのＦＭ受信アンテナＡ１にて、当該ＦＭ電波が検出されることになる。
【００６５】
一方、オーディオ再生装置Ａの中央演算処理部Ａ１０は、先述した通り、ＦＭ放送受信部Ａ２で得られる受信状況データ信号の監視機能を具備しており、ワイヤレススピーカＢに対するディジタル無線送信中に得られる受信状況データ信号に基づいて、オーディオ再生装置Ａの送信周波数を可変制御する。
【００６６】
具体的に述べると、ＦＭ放送受信部Ａ２で得られた受信状況データ信号に基づいて、ワイヤレススピーカＢでは受信エラーが生じていないと判断された場合、中央演算処理部Ａ１０は、オーディオ再生装置Ａの送信周波数を現在値に固定する。これにより、システムは安定モードに移行される。それに対して、ワイヤレススピーカＢで受信エラーが生じていると判断された場合、中央演算処理部Ａ１０は、再度システムの送受信周波数を変更すべく、上記と同様、再変更後の送信周波数を示した埋込信号をワイヤレススピーカＢに送るとともに、自らの送信周波数を再変更する。ワイヤレススピーカＢ側でも上記と同様、受信状況（エラー量）の再検出が行われ、その検出結果を示す受信状況データ信号が再送出される。このような双方向通信の繰返しにより、受信エラーの生じない送受信信号の最適化処理が進められ、最終的には安定した通信網が完成される。
【００６７】
上記したように、本実施形態のワイヤレスオーディオシステムにおいて、ワイヤレススピーカＢは、復調されたディジタルオーディオ信号の受信状況を示す受信状況データ信号をＦＭ電波として空間に放出する手段（Ｂ７〜Ｂ１２）を有して成り、オーディオ再生装置Ａは、ワイヤレススピーカＢに対するディジタル無線送信中にＦＭ放送受信部Ａ２で得られる受信状況データ信号に基づいて装置の送信周波数を変更する手段（Ａ９、Ａ１０）を有して成る構成とされている。
【００６８】
このような構成とすることにより、煩雑な操作を要することなく、ディジタル無線通信に用いる送受信周波数を最適化することができ、混信の少ない状態で良好なディジタル無線通信を行うこと、すなわち、歪やノイズの少ない高品質な音声再生を行うことが可能となる。また、本発明に係るワイヤレスオーディオシステムは、オーディオ再生装置Ａに受信部を新設することなく、既設のＦＭ放送受信部Ａ２を利用して双方向通信を図る構成であるため、大掛かりなシステム改変（ディジタル通信系統の増設）が不要であり、部品点数の増加やコストの上昇を最小限に留めることが可能となる。
【００６９】
また、本実施形態のワイヤレスオーディオシステムにおいて、オーディオ再生装置Ａは装置の送信周波数を変更するに先立って現在送信中の被変調信号に変更後の送信周波数を示した第１データ信号を重畳させる手段（Ａ１０、Ａ１１）を有して成り、ワイヤレススピーカＢは、復調部Ｂ３での復調結果に第１データ信号が含まれていれば装置の受信周波数を第１データ信号が示す変更後の送信周波数に合致させる手段（Ｂ６、Ｂ９）を有して成る構成とされている。このような構成とすることにより、ディジタル無線通信に用いる送受信周波数を自動で最適化することができるので、その最適化処理に要する時間を短縮し、かつ、ユーザの操作負担を軽減することが可能となる。
【００７０】
なお、上記の実施形態では、オーディオ再生装置Ａの送信周波数を変更するに先立ち、埋込信号を用いて変更後の送信周波数をワイヤレススピーカＢ側に教示する構成を例に挙げて説明を行ったが、本発明の構成はこれに限定されるものではなく、例えば、オーディオ再生装置Ａについては、変更後の送信周波数に加えてその変更タイミングを教示する埋込信号を生成する構成とし、ワイヤレススピーカＢについては、埋込信号に示される送信周波数の変更タイミングに応じて、自身の受信周波数を変更する構成としてもよい。このような構成とすることにより、送受信周波数の変更タイミングをより高精度に制御することができるので、両装置Ａ、Ｂ間における無線通信の断絶や、それに伴うワイヤレススピーカＢの異音発生等を極力防止することが可能となる。
【００７１】
次に、本発明に係るワイヤレスオーディオシステムの第２実施形態について、図２を参照しながら詳細な説明を行う。図２は、本発明に係るワイヤレスオーディオシステムの第２実施形態を示すブロック図である。なお、本図からも分かるように、本実施形態のワイヤレスオーディオシステムは、先出の第１実施形態とほぼ同様の構成から成る。そこで、第１実施形態と同様の構成部分については、図１と同一符号を付すことで詳細な説明を省略し、以下では、本実施形態の特徴部分について重点を置いた説明を行うことにする。
【００７２】
まず、オーディオ再生装置Ａ側の特徴部分として、中央演算処理部Ａ１０は、先述の諸機能を具備するほか、ワイヤレススピーカＢに対するディジタル無線送信中、ＦＭ放送受信部Ａ２で正常な受信状況データ信号が得られない場合にオーディオ再生装置ＡのＦＭ受信周波数を変更する手段としての機能や、オーディオ再生装置ＡのＦＭ受信周波数を変更するに先立って現在送信中の被変調信号に変更後のＦＭ受信周波数を示した第２データ信号を重畳させる手段としての機能を新たに備えている。また、埋込信号生成部Ａ１１は、中央演算処理部Ａ１０からの指示に基づいて、先の実施形態で説明した第１データ信号のほか、上記第２データ信号を埋込信号として生成する機能を備えている。
【００７３】
一方、ワイヤレススピーカＢ側の特徴部分として、中央演算処理部Ｂ９は、先述の諸機能を具備するほか、復調部Ｂ３での復調結果に第２データ信号が含まれていればワイヤレススピーカＢのＦＭ送信周波数を第２データ信号が示すオーディオ再生装置Ａの変更後のＦＭ受信周波数に合致させる手段としての機能を新たに備えている。
【００７４】
上記構成から成るワイヤレスオーディオシステムのＦＭ送受信周波数変更動作について詳細に説明する。
【００７５】
ワイヤレススピーカＢに対するディジタル無線送信中、オーディオ再生装置Ａの中央演算処理部Ａ１０は、先述した通り、ＦＭ放送受信部Ａ２で得られる受信状況データ信号の監視を行い、当該受信状況データ信号に基づいて、オーディオ再生装置Ａの送信周波数を可変制御する。このとき、ＦＭ放送受信部Ａ２で正常な受信状況データ信号が得られなかった場合、中央演算処理部Ａ１０は、外部のＦＭ放送電波等の影響を受けてワイヤレススピーカＢとのＦＭ通信に支障が生じていると判断し、ＦＭ放送受信部Ａ２に対するＦＭ受信周波数の変更指示を行う。
【００７６】
その際、中央演算処理部Ａ１０は、上記ＦＭ受信周波数の変更指示に先立ち、変更後のＦＭ受信周波数を示した埋込信号（第２データ信号）を生成するよう、埋込信号生成部Ａ１１に指示を送る。当該指示を受けた埋込信号生成部Ａ１１は、変更後のＦＭ受信周波数を示す埋込信号を生成し、当該埋込信号を変調信号生成部Ａ６に送出する。すなわち、本実施形態のオーディオ再生装置Ａでは、ＦＭ受信周波数の変更に先立って、その変更内容を示した埋込信号がワイヤレススピーカＢに無線送信される。なお、中央演算処理部Ａ１０は、前記埋込信号の生成を指示してから所定の待機時間（ワイヤレススピーカＢのＦＭ送信周波数が変更されるのに要する時間）が経過した時点で、ＦＭ受放送受信Ａ２にＦＭ受信周波数の変更を指示する。
【００７７】
一方、ワイヤレススピーカＢにおいて、中央演算処理部Ｂ９は、復調部Ｂ３で得られる復調結果に埋込信号（第２データ信号）が含まれているか否かを常時監視しており、復調結果に埋込信号が含まれていれば、ワイヤレススピーカＢのＦＭ送信周波数を当該埋込信号が示すオーディオ再生装置Ａの変更後のＦＭ受信周波数に合致させるべく、ＦＭ送信部Ｂ１１に対して指示を送る。
【００７８】
すなわち、本実施形態のワイヤレススピーカＢでは、オーディオ再生装置Ａ側におけるＦＭ受信周波数の変更処理に合わせて、自動的にそのＦＭ送信周波数がオーディオ再生装置Ａの変更後のＦＭ受信周波数に合致される。従って、両装置Ａ、Ｂ間におけるＦＭ通信は、オーディオ再生装置ＡのＦＭ受信周波数が変更された後も、何ら断絶されることなく正常に継続される。
【００７９】
上記動作によってシステムのＦＭ送受信周波数が変更された後、オーディオ再生装置Ａの中央演算処理部Ａ１０は、ＦＭ放送受信部Ａ２で正常な受信状況データ信号が得られているか否かの判定を行う。ここで、受信状況データ信号が正常であると判定された場合、中央演算処理部Ａ１０は、オーディオ再生装置ＡのＦＭ受信周波数を現在値に固定する。これにより、システムは安定モードに移行される。それに対して、未だに受信状況データ信号が正常でないと判定された場合、中央演算処理部Ａ１０は、再度システムのＦＭ送受信周波数を変更すべく、上記と同様、再変更後のＦＭ受信周波数を示した埋込信号をワイヤレススピーカＢに送るとともに、自らのＦＭ受信周波数を再変更する。ワイヤレススピーカＢ側でも、上記と同様、ＦＭ送信周波数の再変更が行われる。このような双方向通信の繰返しにより、受信エラーの生じないＦＭ送受信信号の最適化処理が進められ、最終的には安定した通信網が完成される。
【００８０】
上記したように、本実施形態のワイヤレスオーディオシステムにおいて、オーディオ再生装置Ａは、ＦＭ放送受信部Ａ２で正常な受信状況データ信号が得られない場合にオーディオ再生装置ＡのＦＭ受信周波数を変更する手段（Ａ９、Ａ１０）を有して成る構成とされている。このような構成とすることにより、煩雑な操作を要することなく、受信状況データ信号の通信に用いるＦＭ送受信周波数を最適化することができ、混信の少ない状態で良好な受信状況データ信号の通信を行うこと、延いては、当該受信状況データ信号に基づくディジタル送受信周波数の最適化処理を適切に実施することが可能となる。
【００８１】
また、本実施形態のワイヤレスオーディオシステムにおいて、オーディオ再生装置ＡはそのＦＭ受信周波数を変更するに先立って現在送信中の被変調信号に変更後のＦＭ受信周波数を示した第２データ信号を重畳させる手段（Ａ１０、Ａ１１）を有して成り、ワイヤレススピーカＢは、復調部Ｂ３での復調結果に第２データ信号が含まれていれば装置のＦＭ送信周波数を第２データ信号が示すオーディオ再生装置Ａの変更後のＦＭ受信周波数に合致させる手段（Ｂ９、Ｂ１１）を有して成る構成とされている。このような構成とすることにより、受信状況データ信号の通信に用いるＦＭ送受信周波数を自動で最適化することができるので、その所要時間を短縮するとともに、ユーザの操作負担を軽減することが可能となる。
【００８２】
次に、本発明に係るワイヤレスオーディオシステムの第３実施形態について、図３を参照しながら詳細な説明を行う。図３は、本発明に係るワイヤレスオーディオシステムの第３実施形態を示すブロック図である。なお、本図からも分かるように、本実施形態のワイヤレスオーディオシステムは、先出の第１実施形態とほぼ同様の構成から成る。そこで、第１実施形態と同様の構成部分については、図１と同一符号を付すことで詳細な説明を省略し、以下では、本実施形態の特徴部分について重点を置いた説明を行うことにする。
【００８３】
まず、オーディオ再生装置Ａ側の特徴部分として、中央演算処理部Ａ１０は、先述の諸機能を具備するほか、後述するディジタル受信アンテナＢ１ａ、Ｂ１ｂが順次択一される毎にＦＭ放送受信部Ａ２で得られる受信状況データ信号に基づいて、現在送信中の被変調信号に選択すべきディジタル受信アンテナを示す第３データ信号を重畳させる手段としての機能を新たに備えている。また、埋込信号生成部Ａ１１は、中央演算処理部Ａ１０からの指示に基づいて、先の実施形態で説明した第１データ信号のほか、上記第３データ信号を埋込信号として生成する機能を備えている。
【００８４】
一方、ワイヤレススピーカＢ側の特徴部分として、ワイヤレススピーカＢは、ダイバシティアンテナ方式を採用した構成、すなわち、無線電波の検出手段として複数のディジタル受信アンテナＢ１ａ、Ｂ１ｂを有して成る構成とされている。また、ワイヤレススピーカＢには、ディジタル受信アンテナＢ１ａ、Ｂ１ｂのいずれか一を選択してディジタル受信部Ｂ２に接続するアンテナ切換部Ｂ１４と、中央演算処理部Ｂ９からの指示に基づいてアンテナ切換信号を生成する切換制御部Ｂ１５と、が追設されている。なお、アンテナ切換信号とは、アンテナ切換部Ｂ１４に信号系統の切換えを命じる制御信号のことである。
【００８５】
さらに、ワイヤレススピーカＢの中央演算処理部Ｂ９は、先述した諸機能のほか、オーディオ再生装置Ａからのディジタル無線受信に際してディジタル受信アンテナＢ１ａ、Ｂ１ｂを順次択一する手段としての機能や、復調部Ｂ３での復調結果に第３データ信号が含まれていれば該第３データ信号が示すディジタル受信アンテナを選択する手段としての機能を新たに備えている。
【００８６】
上記構成から成るワイヤレスオーディオシステムのダイバシティアンテナ切換動作について、詳細に説明する。
【００８７】
ワイヤレススピーカＢにおいて、中央演算処理部Ｂ９は、オーディオ再生装置Ａからのディジタル無線受信に際し、ディジタル受信アンテナＢ１ａ、Ｂ１ｂを順次択一するよう切換制御部Ｂ１５に指示を送る。切換制御部Ｂ１５は、中央演算処理部Ｂ９からの指示に基づいてアンテナ切換信号の生成を行い、アンテナ切換部Ｂ１４は、当該アンテナ切換信号に基づいて信号系統の順次切換えを行う。
【００８８】
また、中央演算処理部Ｂ９は、ディジタル受信アンテナＢ１ａ、Ｂ１ｂが順次択一される毎、エラーカウンタ部Ｂ８の出力に基づいて、復調されたディジタルオーディオ信号の受信状況（エラー量）を検出し、受信状況データ信号生成部Ｂ１０に対して、その検出結果を示す受信状況データ信号を生成するよう指示を送る。その結果、ＦＭ送信アンテナＢ１２からは、ディジタル受信アンテナＢ１ａ、Ｂ１ｂ毎の受信状況データ信号がＦＭ電波として空間に放出され、オーディオ再生装置ＡのＦＭ受信アンテナＡ１にて、当該ＦＭ電波が検出されることになる。
【００８９】
一方、オーディオ再生装置Ａの中央演算処理部Ａ１０は、先述した通り、ＦＭ放送受信部Ａ２で得られる受信状況データ信号の監視機能を具備しており、ディジタル受信アンテナＢ１ａ、Ｂ１ｂが順次択一される毎にＦＭ放送受信部Ａ２で得られる受信状況データ信号に基づいて、選択すべきディジタル受信アンテナ（すなわち、最も良好な受信状態を得られるディジタル受信アンテナ）を判定する。そして、中央演算処理部Ａ１０は、その判定結果を示した埋込信号（第３データ信号）を生成するよう、埋込信号生成部Ａ１１に指示を送る。埋込信号生成部Ａ１１は、指示された埋込信号を生成して変調信号生成部Ａ６に送出する。これにより、現在送信中の被変調波に前記埋込信号が重畳されてワイヤレススピーカＢに無線送信される。
【００９０】
ワイヤレススピーカＢにおいて、中央演算処理部Ｂ９は、復調部Ｂ３で得られる復調結果に埋込信号（第３データ信号）が含まれているか否かを常時監視しており、復調結果に第３データ信号が含まれていれば、該第３データ信号が示すディジタル受信アンテナを選択するよう、切換制御部Ｂ１５に対して指示を送る。切換制御部Ｂ１５は、中央演算処理部Ｂ９からの指示に基づいてアンテナ切換信号の生成を行い、アンテナ切換部Ｂ１４は、当該アンテナ切換信号に基づいて信号系統の切換えを行う。これにより、ワイヤレススピーカＢは安定モードに移行される。
【００９１】
上記したように、本実施形態のワイヤレスオーディオシステムにおいて、ワイヤレススピーカＢは、複数のディジタル受信アンテナＢ１ａ、Ｂ１ｂを有するとともに、それらを順次択一する手段（Ｂ９、Ｂ１４、Ｂ１５）と、復調部Ｂ３での復調結果に第３データ信号が含まれていれば該第３データ信号が示すディジタル受信アンテナを選択する手段（Ｂ９、Ｂ１４、Ｂ１５）と、を有して成り、オーディオ再生装置Ａは、ディジタル受信アンテナＢ１ａ、Ｂ１ｂが順次択一される毎にＦＭ放送受信部Ａ２で得られる受信状況データ信号に基づいて現在送信中の被変調信号に選択すべきディジタル受信アンテナを示す第３データ信号を重畳させる手段（Ａ１０、Ａ１１）を有して成る構成としている。このような構成とすることにより、ディジタル無線通信に用いる送受信周波数の最適化と合わせてディジタル受信アンテナＢ１ａ、Ｂ１ｂの最適選択を自動で行うことができるので、より一層高品質な音声再生を行うことが可能となる。
【００９２】
なお、本実施形態の説明では、先述したディジタル送受信周波数やＦＭ送受信周波数の最適化制御について特段言及しなかったが、本実施形態のダイバシティアンテナ選択制御に合わせて、上記送受信周波数の最適化制御を行うべきであることは言うまでもない。
【００９３】
次に、本発明に係るワイヤレスオーディオシステムの第４実施形態について、図４を参照しながら詳細な説明を行う。図４は、本発明に係るワイヤレスオーディオシステムの第４実施形態を示すブロック図である。なお、本図からも分かるように、本実施形態のワイヤレスオーディオシステムは、先出の第３実施形態とほぼ同様の構成から成る。そこで、第３実施形態と同様の構成部分については、図３と同一符号を付すことで詳細な説明を省略し、以下では、本実施形態の特徴部分について重点を置いた説明を行うことにする。
【００９４】
まず、オーディオ再生装置Ａ側の特徴部分として、中央演算処理部Ａ１０は、先述の諸機能を具備するほか、オーディオ再生装置Ａの送信周波数を順次変更する手段としての機能や、当該順次変更処理の完了後にＦＭ放送受信部Ａ２で得られる後述の最適周波数データ信号に基づいて装置の送信周波数を変更する手段としての機能を新たに備えている。
【００９５】
一方、ワイヤレススピーカＢ側の特徴部分として、ワイヤレススピーカＢは、ディジタルオーディオ信号の受信状況を情報として格納するメモリ部Ｂ１６を有して成るほか、先述の受信状況データ信号生成部Ｂ１０に代えて、最適周波数データ信号生成部Ｂ１７を有する構成とされている。また、中央演算処理部Ｂ９は、先述の諸機能を具備するほか、ディジタル受信アンテナＢ１ａ、Ｂ１ｂを装置の受信周波数毎に順次択一する手段としての機能、ディジタル受信アンテナＢ１ａ、Ｂ１ｂが順次択一される毎にディジタルオーディオ信号の受信状況を情報としてメモリ部Ｂ１６に逐次格納する手段としての機能、格納された情報を比較して最も受信状況が良好であった装置の受信周波数とディジタル受信アンテナとの組合わせを判断する手段としての機能、最良の組合わせであると判断された装置の受信周波数及びディジタル受信アンテナを選択する手段としての機能、並びに、最良の組合わせであると判断された装置の受信周波数を示した最適周波数データ信号をＦＭ電波として空間に放出する手段としての機能を新たに備えている。
【００９６】
上記構成から成るワイヤレスオーディオシステムのディジタル送受信周波数変更動作について、詳細に説明する。
【００９７】
オーディオ再生装置Ａにて、操作部Ａ１２の送信周波数変更ボタンが押下された場合、システムは、最良の送受信周波数を自動探索する動作モードに移行され、中央演算処理部Ａ１０は、オーディオ再生装置Ａの送信周波数を所定の時間間隔で順次変更し始める。このとき、送信周波数の変更に先立って、その変更内容を示す埋込信号（第１データ信号）がワイヤレススピーカＢ側に無線送信される点については、先の第１実施形態と同様である。このような送信周波数の順次変更処理は、選択候補となる複数の送信周波数が少なくとも一巡されるまで継続される。
【００９８】
一方、ワイヤレススピーカＢでは、オーディオ再生装置Ａ側で送信周波数の順次変更が為される間、先の第１実施形態と同様の信号処理により、自動的にその受信周波数が変更後の送信周波数に逐次合致される。このとき、中央演算処理部Ｂ９は、ワイヤレススピーカＢの受信周波数毎にディジタル受信アンテナＢ１ａ、Ｂ１ｂを順次択一すべく、切換制御部Ｂ１５に対して指示を送る。
【００９９】
具体的に述べると、中央演算処理部Ｂ９は、まず、ディジタル受信アンテナＢ１ａを選択するよう、切換制御部Ｂ１５に指示を送出する。ディジタル受信アンテナＢ１ａが選択されて無線電波が検出されると、エラー検出部Ｂ７及びエラーカウンタＢ８は、復調部Ｂ３で得られるディジタルオーディオ信号のエラー量を検出する。中央演算処理部Ｂ９は、当該エラー量に基づいてワイヤレススピーカＢの受信状態を検出するとともに、その受信状態を電子情報としてメモリ部Ｂ１６に格納する。次に、中央演算処理部Ｂ９は、ディジタル受信アンテナＢ１ｂを選択するよう、切換制御部Ｂ１５に指示を送り、上記と同様、そのときの受信状態を電子情報としてメモリ部Ｂ１６に格納する。このようなディジタル受信アンテナの択一動作及び受信状態の検出動作は、その後もワイヤレススピーカＢの受信周波数が順次変更される毎に繰り返される。
【０１００】
すなわち、本実施形態のワイヤレススピーカＢは、上記した受信周波数の順次変更制御並びにディジタル受信アンテナ部Ｂ１ａ、Ｂ１ｂの順次択一制御により、その受信周波数とディジタル受信アンテナＢ１ａ、Ｂ１ｂとの組合わせ毎に、各々の受信状態を逐次電子情報として蓄積していく構成であると言える。
【０１０１】
このようにして、選択候補となる受信周波数とディジタル受信アンテナＢ１ａ、Ｂ１ｂとの組合わせにつき、全ての受信状態情報が蓄えられると、中央演算処理部Ｂ９は、格納された電子情報を比較して最良の組合わせ（すなわち、エラー量が最も少なかった組合わせ）を判断する。そして、中央演算処理部Ｂ９は、最良の組合わせであると判断された受信周波数及びディジタル受信アンテナを選択するよう、周波数制御部Ｂ６及び切換制御部Ｂ１５に指示を送る。さらに、中央演算処理部Ｂ９は、最良の組合わせであると判断された装置の受信周波数を示した最適周波数データ信号を生成するよう、最適周波数データ信号生成部Ｂ１７に指示を送る。その結果、ＦＭ送信アンテナＢ１２からは、前記最適周波数データ信号がＦＭ電波として空間に放出され、オーディオ再生装置ＡのＦＭ受信アンテナＡ１にて、当該ＦＭ電波が検出されることになる。
【０１０２】
一方、オーディオ再生装置Ａの中央演算処理部Ａ１０は、先述した通り、ＦＭ放送受信部Ａ２で得られる最適周波数データ信号の監視機能を具備しており、送信周波数の順次変更処理完了後にＦＭ放送受信部Ａ２で得られる最適周波数データ信号に基づいて、オーディオ再生装置Ａの送信周波数を当該最適周波数データ信号が示すワイヤレススピーカＢの変更後の受信周波数に合致させるべく、周波数制御部Ａ９に指示を送る。
【０１０３】
上記したように、本実施形態のワイヤレスオーディオシステムにおいて、オーディオ再生装置Ａは、装置の送信周波数を順次変更する手段（Ａ９、Ａ１０）と、当該順次変更処理の完了後にＦＭ放送受信部Ａ２で得られる最適周波数データ信号に基づいて装置の送信周波数を変更する手段（Ａ９、Ａ１０）と、を有して成り、ワイヤレススピーカＢは、ディジタル受信アンテナＢ１ａ、Ｂ１ｂを装置の受信周波数毎に順次択一する手段（Ｂ９、Ｂ１４、Ｂ１５）と、ディジタル受信アンテナＢ１ａ、Ｂ１ｂが順次択一される毎にディジタルオーディオ信号の受信状況を情報として逐次格納する手段（Ｂ９、Ｂ１６）と、格納された情報を比較して最も受信状況が良好であった装置の受信周波数とディジタル受信アンテナとの組合わせを判断する手段（Ｂ９）と、最良の組合わせであると判断された装置の受信周波数及びディジタル受信アンテナを選択する手段（Ｂ６、Ｂ９、Ｂ１４、Ｂ１５）と、最良の組合わせであると判断された装置の受信周波数を示した最適周波数データ信号をＦＭ電波として空間に放出する手段（Ｂ９、Ｂ１１、Ｂ１２、Ｂ１７）と、を有して成る構成とされている。
【０１０４】
このような構成とすることにより、煩雑な操作を要することなく、最良の受信状態が得られる送受信周波数及びダイバシティアンテナの組合わせを容易に設定することができ、歪やノイズの少ない高品質な音声再生を行うことが可能となる。また、ユーザが送受信周波数の順次変更操作を中途半端に完了してしまうおそれがない上、ユーザの主観に依存することなく受信状態の微妙な優劣が正確に判断されるので、最良の送受信周波数を適切に探索することが可能となる。
【０１０５】
なお、本実施形態の説明では、先述したＦＭ送受信周波数の最適化制御について特段言及しなかったが、本実施形態のダイバシティアンテナ選択制御に合わせて、上記ＦＭ送受信周波数の最適化制御を行うべきであることは言うまでもない。
【０１０６】
また、上記の第１〜第４実施形態では、ＩＳＭ帯やＶＨＦ帯の無線電波を用いて双方向通信を行う構成を例に挙げて説明を行ったが、本発明の構成はこれに限定されるものではなく、他の周波数帯域の無線電波を用いて双方向通信を行う構成としても構わない。
【０１０７】
また、本発明の構成は、上記の実施形態のほか、発明の主旨を逸脱しない範囲で種々の変更を加えることが可能である。
【産業上の利用可能性】
【０１０８】
本発明は、例えば、ワイヤレスオーディオシステムにおける受信品質（すなわち受信音声の再生品質）を高める上で有用な技術である。
【図面の簡単な説明】
【０１０９】
【図１】は、本発明に係るワイヤレスオーディオシステムの第１実施形態を示すブロック図である。
【図２】は、本発明に係るワイヤレスオーディオシステムの第２実施形態を示すブロック図である。
【図３】は、本発明に係るワイヤレスオーディオシステムの第３実施形態を示すブロック図である。
【図４】は、本発明に係るワイヤレスオーディオシステムの第４実施形態を示すブロック図である。
【図５】は、ブロックデータ群を示す概念図である。
【符号の説明】
【０１１０】
Ａ    オーディオ再生装置（送信装置）
Ａ１    ＦＭ放送受信アンテナ
Ａ２    ＦＭ放送受信部
Ａ３    オーディオ信号処理部
Ａ４    フロントスピーカ部
Ａ５    アナログ／ディジタル変換部
Ａ６    変調信号生成部
Ａ７    ディジタル送信部
Ａ８    ディジタル送信アンテナ
Ａ９    周波数制御部
Ａ１０    中央演算処理部
Ａ１１    埋込信号生成部
Ａ１２    操作部
Ａ１３    表示部
Ｂ    ワイヤレススピーカ（受信装置）
Ｂ１（Ｂ１ａ、Ｂ１ｂ）    ディジタル受信アンテナ
Ｂ２    ディジタル受信部
Ｂ３    復調部
Ｂ４    ディジタル／アナログ変換部
Ｂ５    リアスピーカ部
Ｂ６    周波数制御部
Ｂ７    エラー検出部
Ｂ８    エラーカウンタ部
Ｂ９    中央演算処理部
Ｂ１０    受信状況データ信号生成部
Ｂ１１    ＦＭ送信部
Ｂ１２    ＦＭ送信アンテナ
Ｂ１３    表示部
Ｂ１４    アンテナ切換部
Ｂ１５    切換制御部
Ｂ１６    メモリ部
Ｂ１７    最適周波数データ信号生成部
【図１】
2006165727.tif 000003
【図２】
2006165727.tif 000004
【図３】
2006165727.tif 000005
【図４】
2006165727.tif 000006
【図５】
2006165727.tif 000007